(57)【要約】      （修正有）【課題】操作部材の軸部近傍への異物の浸入を抑制することができる押釦装置および時計を提供する【解決手段】貫通孔１０の外部に収納部１４が設けられた本体ケース２と、貫通孔１０にスライド可能に挿入する軸部１５、およびこの軸部１５の外端部に設けられて収納部１４にスライド可能に挿入する頭部１６を備えた操作部材１１と、収納部１４内に設けられて頭部１６の外周凸部１６ａが挿入する環状の第１溝部２７と外周凸部１６ａとによって囲われる第１のフィルタ２５と、頭部１６に設けられて収納部１４の内周凸部１４ａが挿入する環状の第２溝部２８と内周凸部１４ａとによって囲われる第２のフィルタ２６と、を備えている。従って、第１のフィルタ２５と第２のフィルタ２６とによって泥や砂などの異物の通過を２段階で抑制して、操作部材１１の軸部１５近傍への異物の浸入を抑制できるので、異物の浸入による操作部材１１の操作性の低下を防ぐ。【選択図】図２
2020056760.tif 000002
【特許請求の範囲】
【請求項１】
貫通孔が設けられ、かつ前記貫通孔の外部に収納部が設けられた支持部材と、
前記貫通孔に摺動可能に挿入される軸部、および前記軸部の外端部に設けられて前記収納部に摺動可能に挿入される頭部を備えた操作部材と、
前記収納部内に設けられて前記頭部の外周凸部が挿入する環状の第１溝部と前記頭部の前記外周凸部とによって囲われる位置に配置される第１のフィルタと、
前記頭部に設けられて前記第１溝部の内周に位置する前記収納部の内周凸部が挿入する環状の第２溝部と前記収納部の前記内周凸部とによって囲われる位置に配置される第２のフィルタと、
を備えていることを特徴とする押釦装置。
【請求項２】
請求項１に記載の押釦装置において、前記第１のフィルタ及び前記第２のフィルタは、前記頭部の移動に応じて変形した後、変形前の形状に復元し、かつ多数の連続する気泡を備えた多孔質素材であることを特徴とする押釦装置。
【請求項３】
請求項１または請求項２に記載の押釦装置において、前記第１のフィルタは、前記収納部内に設けられて前記頭部の前記外周凸部が挿入する環状の第１溝部と前記頭部の前記外周凸部とによって囲われる第１空間に配置され、
前記第２のフィルタは、前記頭部に設けられて前記第１溝部の内周に位置する前記収納部の前記内周凸部が挿入する環状の第２溝部と前記収納部の前記内周凸部とによって囲われる第２空間に配置されていることを特徴とする押釦装置。
【請求項４】
請求項１〜請求項３のいずれかに記載の押釦装置において、前記第１のフィルタと前記第２のフィルタとは、それぞれ通気性が異なることを特徴とする押釦装置。
【請求項５】
請求項１〜請求項４のいずれかに記載の押釦装置において、前記第１のフィルタと前記第２のフィルタとは、気泡の大きさが異なることを特徴とする押釦装置。
【請求項６】
請求項１〜請求項５のいずれかに記載された押釦装置において前記支持部材はケースであることを特徴とする押釦装置。
【請求項７】
請求項１〜請求項６のいずれかに記載された押釦装置を備えていることを特徴とする時計。
【発明の詳細な説明】
【技術分野】
【０００１】
この発明は、押釦装置およびそれを備えた時計に関する。
【背景技術】
【０００２】
例えば、腕時計の押釦装置においては、特許文献１に記載されているように、腕時計ケースの貫通孔に筒状部材を設け、この筒状部材内に操作部材の軸部を挿入させ、この操作部材の頭部を腕時計ケースの外部に突出させ、この突出した頭部を押圧操作することにより、腕時計ケース内のスイッチ素子をスイッチ動作させる構造のものが知られている。
【先行技術文献】
【特許文献】
【０００３】
【特許文献１】特開２００７−２５６０６７号公報
【０００４】
この種の腕時計の押釦装置は、腕時計ケースの外面側に操作部材の頭部が挿入する収納凹部を設け、この収納凹部内にコイルばねを配置し、このコイルばねのばね力によって操作部材の頭部を腕時計ケースの外部に向けて押し出すように構成されている。また、この押釦装置は、操作部材の軸部の外周に複数の防水部材を設け、これら複数の防水部材を筒状部材の内周面に圧接させた状態で摺動させる構造になっている。
【発明の概要】
【発明が解決しようとする課題】
【０００５】
しかしながら、このような押釦装置では、腕時計ケースの収納凹部の内周面と操作部材の頭部の外周面との間から腕時計ケースの収納凹部の内部に泥や砂などの異物が浸入し、この浸入した異物によってコイルばねの弾性変形が影響を受けるので、操作部材の操作性が低下するという問題がある。
【０００６】
この発明が解決しようとする課題は、操作部材の軸部近傍への異物の浸入を抑制することができる押釦装置およびそれを備えた時計を提供することである。
【課題を解決するための手段】
【０００７】
この発明は、貫通孔が設けられ、かつ前記貫通孔の外部に収納部が設けられた支持部材と、前記貫通孔に摺動可能に挿入される軸部、および前記軸部の外端部に設けられて前記収納部に摺動可能に挿入される頭部を備えた操作部材と、前記収納部内に設けられて前記頭部の外周凸部が挿入する環状の第１溝部と前記頭部の前記外周凸部とによって囲われる位置に配置される第１のフィルタと、前記頭部に設けられて前記第１溝部の内周に位置する前記収納部の内周凸部が挿入する環状の第２溝部と前記収納部の前記内周凸部とによって囲われる位置に配置される第２のフィルタと、を備えていることを特徴とする押釦装置である。
【発明の効果】
【０００８】
この発明によれば、操作部材の軸部近傍への異物の浸入を抑制することができる。
【図面の簡単な説明】
【０００９】
【図１】この発明を腕時計に適用した一実施形態を示した拡大正面図である。
【図２】図１に示された腕時計のＡ−Ａ矢視における要部を示した拡大断面図である。
【図３】図２に示された押釦装置の操作部材を腕時計ケースの内部に向けて押圧操作させた状態を示した拡大断面図である。
【図４】図２に示された押釦装置の第１空間部とその内部に配置される第１のフィルタとを分解して示した拡大斜視図である。
【図５】図２に示された押釦装置の第２空間部とその内部に配置される第２のフィルタとを分解して示した拡大斜視図である。
【発明を実施するための形態】
【００１０】
以下、図１〜図５を参照して、この発明を腕時計に適用した一実施形態について説明する。
この腕時計は、図１〜図３に示すように、腕時計ケース１を備えている。この腕時計ケース１は、本体ケース２と外装ケース３とを備えている。
【００１１】
本体ケース２は、図１〜図３に示すように、硬質の合成樹脂で形成され、内部に金属製の補強部２ａが埋め込まれた構造になっている。外装ケース３は、ウレタン樹脂などの軟質の合成樹脂で形成された第１外装部材３ａと、ステンレスなどの金属で形成された第２外装部材３ｂと、を備え、これらが本体ケース２の外周にこれを覆った状態でビス３ｃによって取り付けられている。
【００１２】
この腕時計ケース１の上部開口部、つまり本体ケース２の上部開口部には、図１〜図３に示すように、時計ガラス４がガラスパッキン４ａを介して取り付けられている。また、この腕時計ケース１の下部、つまり本体ケース２の下部には、裏蓋５が防水リング５ａを介して取り付けられている。
【００１３】
この腕時計ケース１の内部、つまり本体ケース２の内部には、図２および図３に示すように、時計モジュール６が配置されている。この時計モジュール６は、図示しないが、指針の運針により時刻を指示する時計ムーブメントや、時刻などの情報を表示する表示部、後述するスイッチ素子２０、これらを電気的に駆動して制御する回路部など、時計機能に必要な各種の部品を備えている。
【００１４】
また、この腕時計ケース１の１２時側と６時側とには、図１に示すように、時計バンド（図示せず）が取り付けられるバンド取付部７がそれぞれ設けられている。さらに、この腕時計ケース１の２時側、３時側、４時側、６時側、８時側、１０時側には、それぞれ押釦装置８が設けられている。
【００１５】
これら複数の押釦装置８のうち、例えば、４時側に位置する押釦装置８は、図２および図３に示すように、支持部材である腕時計ケース１の本体ケース２に設けられた貫通孔１０にスライド可能に挿入された操作部材１１と、この操作部材１１を腕時計ケース１の外部に向けて付勢するばね部材１２と、を備えている。
【００１６】
この場合、本体ケース２の貫通孔１０は、図２および図３に示すように、その外端部に座ぐり部１０ａが貫通孔１０の内径よりも少し大きく形成されている。この本体ケース２の外面には、貫通孔１０の内径よりも十分に大きい円筒形状の筒状部１３が貫通孔１０と同一軸上に対応して設けられている。
【００１７】
この筒状部１３は、図２および図３に示すように、その外径が本体ケース２内の時計モジュール６の厚み、つまり時計モジュール６の上下方向の長さよりも大きく、かつ時計ガラス４の下面と裏蓋の下面との間の長さよりも小さく形成されている。また、この筒状部１３は、その内径が筒状部１３の外径よりも小さく、かつ本体ケース２内の時計モジュール６の厚み、つまり時計モジュール６の上下方向の長さよりも少し大きく形成されている。この筒状部１３の内部には、収納部１４が設けられている。
【００１８】
操作部材１１は、図２および図３に示すように、本体ケース２の貫通孔１０内にスライド可能で且つ回転可能に挿入される軸部１５と、この軸部１５の外端部に設けられて、筒状部１３の収納部１４内にスライド可能で且つ回転可能に配置される頭部１６と、を備えている。
【００１９】
この場合、操作部材１１の軸部１５は、図２および図３に示すように、ステンレスやチタンなどの金属、または硬質の合成樹脂によって丸棒状に形成され、その外径が本体ケース２の貫通孔１０の内径とほぼ同じ大きさに形成されている。また、この軸部１５は、軸方向の長さが貫通孔１０の軸方向の長さよりも長く、かつ貫通孔１０と筒状部１３との両方を足した長さよりも短く形成されている。
【００２０】
これにより、操作部材１１の軸部１５は、図２および図３に示すように、本体ケース２の貫通孔１０内に挿入された際に、外端部が筒状部１３の収納部１４内に突出した状態で、内端部が本体ケース２の内部に突出し、この突出した内端部にＥリングなどの抜止め部材１７が取り付けられている。このため、この軸部１５は、抜止め部材１７が本体ケース２の内周面に接離可能に当接することにより、貫通孔１０から腕時計ケース１の外部に抜け出さない構造になっている。
【００２１】
さらに、この操作部材１１の軸部１５の外周面には、図２および図３に示すように、複数のパッキン部材１８がそれぞれ環状に設けられている。これら複数のパッキン部材１８は、その外周部が貫通孔１０の内周面に摺動可能に圧接することにより、軸部１５の外周面と貫通孔１０の内周面との間の防水を図る構造になっている。
【００２２】
一方、操作部材１１の頭部１６は、図２および図３に示すように、軸部１５と同様、ステンレスやチタンなどの金属、または硬質の合成樹脂によって円柱状に形成されている。この頭部１６は、その内面の中心部に軸部１５の外端部が一体に設けられている。この頭部１６は、外径が筒状部１３の内径とほぼ同じ大きさで、軸方向の長さが筒状部１３内の収納部１４の軸方向の長さとほぼ同じ長さに形成されている。これにより、頭部１６は、筒状部１３の収納部１４内に出没可能に配置される構造になっている。
【００２３】
ばね部材１２は、図２および図３に示すように、コイルばねであり、操作部材１１の頭部１６を腕時計ケース１の外部に向けて付勢する構造になっている。すなわち、このばね部材１２は、筒状部１３の収納部１４内に位置する軸部１５の外周にその軸方向に沿って配置された状態で、内端部が貫通孔１０の座ぐり部１０ａ内に配置され、外端部が操作部材１１の頭部１６の内面に弾接して配置された構造になっている。
【００２４】
これにより、ばね部材１２は、図２および図３に示すように、ばね力によって操作部材１１の頭部１６を腕時計ケース１の外部に向けて付勢し、軸部１５の内端部を時計モジュール６のスイッチ素子２０から引き離してスイッチ素子２０をオフ状態にして、軸部１５の内端部の抜止め部材１７を本体ケース２の内周面に当接させる構造になっている。
【００２５】
また、このばね部材１２は、図２および図３に示すように、ばね力に抗して操作部材１１の頭部１６が押圧操作された際に、軸部１５をその軸方向にスライドさせて、軸部１５の内端部を本体ケース２内に突出させ、この突出した軸部１５の内端部によって時計モジュール６のスイッチ素子２０をスイッチ動作させる構造になっている。
【００２６】
この場合、スイッチ素子２０は、図２および図３に示すように、頭部１６がばね部材１２のばね力に抗して押圧されて、操作部材１１の軸部１５が本体ケース２の内部に向けてスライドした際に、本体ケース２の内部に押し込まれた軸部１５の内端部によって押されて、スイッチ動作してスイッチ信号を出力する構造になっている。
【００２７】
ところで、筒状部１３内の収納部１４と操作部材１１の頭部１６との間には、第１空間部２３と第２空間部２４とが形成されている。図２および図３においては、第１空間部２３に第１のフィルタ２５、第２空間部２４に第２のフィルタ２６が配置された状態で図示している。
【００２８】
第１のフィルタ２５および第２のフィルタ２６は、多数の気泡を備えた多孔質素材であり、操作部材１１の頭部１６のスライド動作に応じて変形すると共に復元するスポンジ状の構造になっている。この場合、多孔質素材の多数の気泡は、連続する多数の気泡であっても良く、または多数のうちの一部が連続しない多数の気泡であっても良い。
【００２９】
第１空間部２３は、操作部材１１の頭部１６の外周凸部１６ａがスライド可能に挿入する環状の第１溝部２７と頭部１６の外周凸部１６ａとによって囲われた空間である。本実施形態においては、第１空間部２３は他の空間とつながっている密閉されていない空間を例示したが、それに限らず、第１溝部２７と頭部１６の外周凸部１６ａとによって密閉（独立）された空間であっても良い。
【００３０】
すなわち、第１溝部２７は、図２〜図５に示すように、第１空間部２３を形成するために筒状部１３の収納部１４内に設けられた環状の内周凸部１４ａの外周側の内面と筒状部１３の内周面との間に、円形のリング状に形成されている。これにより、第１溝部２７は、その内部に操作部材１１の頭部１６の外周凸部１６ａが軸方向にスライド可能に挿入される構造になっている。
【００３１】
また、第２空間部２４は、第１空間部２３を形成するための収納部１４内の内周凸部１４ａがスライド可能に挿入する環状の第２溝部２８と収納部１４内の内周凸部１４ａとによって囲われた空間である。本実施形態においては、第２空間部２４は他の空間とつながっている密閉されていない空間を例示したが、それに限らず、第２溝部２８と収納部１４内の内周凸部１４ａとによって密閉（独立）された空間であっても良い。
【００３２】
すなわち、第２溝部２８は、図２〜図５に示すように、第２空間部２４を形成するために頭部１６の外周凸部１６ａの内周側の内面と収納部１４の内周凸部１４ａの内周面に対応する外周側の内面との間に、第１溝部２７の中心径よりも小さい中心径の円形のリング状に形成されている。これにより、第２溝部２８は、その内部に筒状部１３の収納部１４内の内周凸部１４ａが軸方向にスライド可能に挿入する構造になっている。
【００３３】
この場合、第１溝部２７と第２溝２８とは、図２〜図５に示すように、断面形状の大きさが異なっている。すなわち、第１溝部２７は、径方向の長さである溝幅が第２溝部２８の径方向の長さである溝幅よりも大きく形成され、第１溝部２７の断面積が第２溝部２８の断面積よりも大きく形成されている。
【００３４】
一方、第１空間部２３内に配置された第１のフィルタ２５は、図２〜図４に示すように、第１空間部２３の第１溝部２７内に配置されるリング状に形成されている。すなわち、この第１のフィルタ２５は、外径が第１溝部２７内の外周側の内径と同じ大きさで、内径が第１溝部２７内の内周側の内径と同じ大きさに形成されている。この第１のフィルタ２５は、軸方向の長さ（厚み）が第１溝部２７の軸方向の深さとほぼ同じ長さで形成されている。
【００３５】
これにより、第1のフィルタ２５は、図２〜図４に示すように、操作部材１１の頭部１６が腕時計ケース１の外部から押されて操作部材１１が腕時計ケース１の内部に向けてスライドする際に、その頭部１６の外周凸部１６ａによって押されて潰れるように収縮変形する形状になっている。
【００３６】
また、この第1のフィルタ２５は、図２〜図４に示すように、操作部材１１がばね部材１２のばね力によって腕時計ケース１の外部に向けてスライドする際に、頭部１６の外周凸部１６ａのスライド動作、つまり頭部１６の外周凸部１６ａが第１溝部２７内から抜け出す方向の動作に伴って膨張して元の形状に復元する構造になっている。
【００３７】
第２空間部２４内に配置された第２のフィルタ２６は、図２、図３および図５に示すように、第２空間部２４の第２溝部２８内に配置されるリング状に形成されている。すなわち、この第２のフィルタ２６は、外径が第２溝部２８内の外周側の内径と同じ大きさで、内径が第２溝部２８内の内周側の内径と同じ大きさに形成されている。この第２のフィルタ２６は、軸方向の長さ（厚み）が第２溝部２８の軸方向の深さとほぼ同じ長さで形成されている。
【００３８】
これにより、第２のフィルタ２６は、図２、図３および図５に示すように、操作部材１１の頭部１６が腕時計ケース１の外部から押されて操作部材１１が腕時計ケース１の内部に向けてスライドする際に、その収納部１４の内周凸部１４ａが相対的に第２溝部２８内に挿入する動作に応じて押されて収縮変形する形状になっている。
【００３９】
また、この第２のフィルタ２６は、図２、図３および図５に示すように、操作部材１１がばね部材１２のばね力によって腕時計ケース１の外部に向けてスライドする際に、収納部１４の内周凸部１４ａの相対的なスライド動作、つまり収納部１４の内周凸部１４ａが第２溝部２８内から抜け出す方向の動作に伴って膨張して元の形状に復元する。
【００４０】
この場合、第１のフィルタ２５と第２のフィルタ２６とは、図２〜図５に示すように、断面形状の大きさが異なっている。すなわち、第１のフィルタ２５は、径方向の長さ（幅）が第２のフィルタ２６の径方向の長さ（幅）よりも大きく形成され、第１のフィルタ２５の断面積が第２のフィルタ２６の断面積よりも大きく形成されている。
【００４１】
また、これら第１のフィルタ２５と第２のフィルタ２６とは、図２〜図５に示すように、それぞれ通気性が異なる構造になっている。すなわち、第１のフィルタ２５は、気泡の大きさが第２のフィルタ２６の気泡の大きさよりも大きく形成されている。このため、第１のフィルタ２５は、腕時計ケース１の外部から第１空間部２３に浸入した泥や砂などの異物のうち、粒子の粗い異物の通過を制限する構造になっている。
【００４２】
また、第２のフィルタ２６は、図２〜図５に示すように、第１のフィルタ２５を通過して第２空間部２４に浸入した泥や砂などの異物のうち、粒子の細かい異物の通過を制限する構造になっている。これにより、第１のフィルタ２５と第２のフィルタ２６とは、図２〜図５に示すように、操作部材１１のスライド操作に伴って泥や砂などの異物が筒状部１３の収納部１４と頭部１６との間に形成される空間に浸入しても、第１のフィルタ２５と第２のフィルタ２６とによって、異物が空間を通過するのを抑制する構造になっている。
【００４３】
次に、このような腕時計の押釦装置８の作用について説明する。
この押釦装置８は、通常状態のときに、ばね部材１２のばね力によって操作部材１１の頭部１６が腕時計ケース１の外部に向けて押し出されて筒状部１３から外部に突出する。この状態では、操作部材１１の軸部１５の内端部に設けられた抜止め部材１７が腕時計ケース１の本体ケース２の内周面に当接する。
【００４４】
これにより、操作部材１１の軸部１５の内端部が時計モジュール６のスイッチ素子２０から離れ、スイッチ素子２０をオフ状態にする。このときには、軸部１５の外周面に設けられた複数のパッキン部材１８によって軸部１５の外周面と本体ケース２の貫通孔１０の内周面との間の防水が図られる。
【００４５】
また、このときには、頭部１６の外周凸部１６ａが筒状部１３の収納部１４に設けられた第１溝部２７内から抜き出された位置に配置され、この状態で第１空間部２３が第１溝部２７と頭部１６の外周凸部１６ａとによって囲われて形成される。この状態では、第１のフィルタ２５が第１空間部２３内で初期状態の形状に膨らんで復元する。
【００４６】
また、このときには、筒状部１３の収納部１４内に設けた内周凸部１４ａが頭部１６の第２溝部２８内から抜き出された位置に配置され、この状態で第２空間部２４が第２溝部２８と収納部１４内の内周凸部１４ａとによって囲われて形成される。この状態では、第２のフィルタ２６が第２空間部２４内で初期状態の形状に膨らんで復元する。
【００４７】
この状態で、操作部材１１の頭部１６をばね部材１２のばね力に抗して腕時計ケース１の内部側に向けて押し込むと、第１空間部２３内の第１のフィルタ２５が頭部１６の外周凸部１６ａによって押されて潰れるように収縮変形する。これと同時に、第２空間部２４内の第２のフィルタ２６が筒状部１３の収納部１４内の内周凸部１４ａによって相対的に押されて潰れるように収縮変形する。
【００４８】
これにより、操作部材１１の軸部１５が本体ケース２の貫通孔１０内をスライドして本体ケース２内に押し込まれる。このため、軸部１５の内端部が時計モジュール６のスイッチ素子２０を押圧して、スイッチ素子２０をスイッチ動作させる。このときにも、軸部１５の外周に設けられた複数のパッキン部材１８が本体ケース２の貫通孔１０の内周面に圧接した状態で摺動することにより、軸部１５の外周面と貫通孔１０の内周面との間の防水が図られる。
【００４９】
また、操作部材１１の頭部１６をばね部材１２のばね力によって腕時計ケース１の外部側に向けて押し出される際には、第１空間部２３内の第１のフィルタ２５が頭部１６のスライド動作に伴って膨らむように変形して初期状態の形状に復元する。これと同時に、第２空間部２４内の第２のフィルタ２６も、頭部１６のスライド動作に伴って膨らむように変形して初期状態の形状に復元する。
【００５０】
このように操作部材１１がスライドする際には、操作部材１１のスライド操作に伴って泥や砂などの異物が筒状部１３の収納部１４と頭部１６との間に形成される空間に浸入しても、第１のフィルタ２５と第２のフィルタ２６とによって異物が空間を通過するのを抑制することができる。
【００５１】
すなわち、第１のフィルタ２５と第２のフィルタ２６とは、それぞれ通気性が異なり、第１のフィルタ２５の気泡の大きさが第２のフィルタ２６の気泡の大きさよりも大きい。このため、腕時計ケース１の外部から第１空間部２３に浸入した泥や砂などの異物のうち、粒子の粗い異物の通過を第１のフィルタ２５によって制限することができる。また、第１のフィルタ２５を通過して第２空間部２４に浸入した泥や砂などの異物のうち、粒子の細かい異物の通過を第２のフィルタ２６によって制限することができる。
【００５２】
これにより、泥や砂などの異物が筒状部１３の収納部１４と頭部１６との間に形成される空間に浸入しても、第１のフィルタ２５と第２のフィルタ２６とによって異物が空間を通過するのを制限する。このため、泥や砂などの異物が押釦装置８の内部側に浸入するのを確実にかつ良好に抑制することができる。
【００５３】
このように、この腕時計の押釦装置８によれば、貫通孔１０の外部に収納部１４が設けられた腕時計ケース１の本体ケース２と、貫通孔１０にスライド可能に挿入する軸部１５、およびこの軸部１５の外端部に設けられて収納部１４にスライド可能に挿入する頭部１６を備えた操作部材１１と、収納部１４内に設けられて頭部１６の外周凸部１６ａが挿入する環状の第１溝部２７と外周凸部１６ａとによって囲われる第１のフィルタ２５と、頭部１６に設けられて第１溝部２７の内周に位置する収納部１４の内周凸部１４ａが挿入する環状の第２溝部２８と内周凸部１４ａとによって囲われる第２のフィルタ２６と、を備えていることにより、操作部材１１の軸部１５近傍への異物の浸入を抑制することができる。
【００５４】
すなわち、この押釦装置８では、第１のフィルタ２５によって泥や砂などの異物の通過を制限することができ、また第２のフィルタ２６によって泥や砂などの異物の通過を制限することができ、これにより泥や砂などの異物の通過を２段階で抑制することができるので、押釦装置８の内部側である操作部材の軸部近傍への異物の浸入を確実にかつ良好に抑制することができ、これにより異物の浸入による操作部材１１の操作性の低下を防ぐことができる。
【００５５】
この場合、第１のフィルタ２５および第２のフィルタ２６は、頭部１６の移動に応じて変形した後、変形前の形状に復元し、かつ多数の連続する気泡を備えた多孔質素材であることにより、多数の気泡によって泥や砂などの異物の通過を制限することができるので、押釦装置８の内部側への異物の浸入を確実にかつ良好に抑制することができるほか、頭部１６のスライド動作に応じて第１のフィルタ２５および第２のフィルタ２６を確実にかつ良好に変形させることができると共に、変形前の元の形状に復元させることができるので、操作部材１１のスライド動作が妨げられないようにすることができる。
【００５６】
また、この押釦装置８では、収納部１４内に設けられて頭部１６の外周凸部１６ａが挿入する環状の第１溝部２７と頭部１６の外周凸部１６ａとによって囲われる第１空間部２３に第１のフィルタ２５が配置され、頭部１６に設けられて第１溝部２７の内周に位置する収納部１４の内周凸部１４ａが挿入する環状の第２溝部２８と収納部１４の内周凸部１４ａとによって囲われる第２空間部２４に第２のフィルタ２６が配置されていることにより、頭部１６と収納部１４との間に形成される空間を第１空間部２３と第２空間部２４とに分けることができる。
【００５７】
これにより、この押釦装置では、第１空間部２３に第１のフィルタ２５を良好に配置させることができとると共に、第２空間部２４に第２のフィルタ２６を良好に配置させることができるので、第１空間部２３内の第１のフィルタ２５によって泥や砂などの異物の通過を制限することができ、また第２空間部２４内の第２のフィルタ２６によって泥や砂などの異物の通過を制限することができ、これにより泥や砂などの異物の通過を２段階で抑制できるので、異物の浸入による操作部材１１の操作性の低下を防ぐことができる。
【００５８】
この場合、第１空間部２３は、収納部１４内に設けられた環状の第１溝部２７と頭部１６の外周凸部１６ａとによって囲われることにより、第１溝部２７内に第１のフィルタ２５を配置して頭部１６の外周凸部１６ａによって第１溝部２７を良好に塞ぐことができるので、第１のフィルタ２５を第１空間部２３内に良好に配置することができる。
【００５９】
また、第２空間部２４は、頭部１６に設けられた環状の第２溝部２８と収納部１４の内周凸部１４ａとによって囲われることにより、第２溝部２８内に第２のフィルタ２６を配置して収納部１４の内周凸部１４ａによって第２溝部２８を良好に塞ぐことができるので、第２のフィルタ２６を第２空間部２４内に良好に配置することができる。
【００６０】
また、この押釦装置８では、第１のフィルタ２５と第２のフィルタ２６との通気性がそれぞれ異なっていることにより、第１のフィルタ２５を通過する泥や砂などの異物の通過状態と、第２のフィルタ２６を通過する泥や砂などの異物の通過状態と、を異ならせることができる。すなわち、第２のフィルタ２６の通気性が第１のフィルタ２５の通気性よりも低いことにより、第２のフィルタ２６による異物の通過を第１のフィルタ２５による異物の通過よりも制限することができる。
【００６１】
この場合、第１のフィルタ２５と第２のフィルタ２６とは、気泡の大きさが異なっていることにより、第１のフィルタ２５を通過する泥や砂などの異物の大きさと、第２のフィルタ２６を通過する泥や砂などの異物の大きさと、を異ならせることができる。すなわち、第２のフィルタ２６の気泡の大きさが第１のフィルタ２５の気泡の大きさよりも小さいことにより、第２のフィルタ２６を通過する異物の粒子が第１のフィルタ２５を通過する異物の粒子をよりも小さく制限することができる。
【００６２】
このため、この押釦装置８では、腕時計ケース１の外部から第１空間部２３に浸入した泥や砂などの異物のうち、粒子の粗い異物の通過を第１のフィルタ２５によって良好に制限することができ、第１のフィルタ２５を通過して第２空間部２４に浸入した泥や砂などの異物のうち、粒子の細かい異物の通過を第２のフィルタ２６によって確実に制限することができる。
【００６３】
これにより、この押釦装置８では、操作部材１１のスライド操作に伴って泥や砂などの異物が筒状部１３の収納部１４と頭部１６との間に形成される空間に浸入しても、第１のフィルタ２５と第２のフィルタ２６とによって、異物の通過を確実にかつ良好に抑制することができ、これにより泥や砂などの異物が押釦装置８の内部側に浸入するのを確実に抑制することができる。
【００６４】
なお、上述した実施形態では、腕時計ケース１の本体ケース２を支持部材として用い、この本体ケース２に貫通孔１０と筒状部１３とを設け、この貫通孔１０に操作部材１１の軸部１５を挿入させ、筒状部１３内の収納部１４内に頭部１６を挿入させた場合について述べたが、この発明は、これに限らず、本体ケース２の貫通孔１０に支持部材として筒状部材を嵌め込み、この筒状部材に操作部材１１をスライド可能に設けた構造であっても良い。
【００６５】
この場合、筒状部材は、本体ケース２の貫通孔に嵌め込まれて操作部材１１の軸部１５がスライド可能に挿入する小径筒部と、本体ケース２の外部に配置されて操作部材１１の頭部１６がスライド可能に挿入する収納部１４が設けられた大径筒部と、を備えた構造であれば良い。この場合にも、操作部材１１の頭部１６と大径筒部の収納部１４との間に空間が設けられた構造であれば良い。
【００６６】
また、上述した実施形態では、腕時計ケース１の４時側に設けられた押釦装置８について述べたが、この発明は、これに限らず、例えば２時側、３時側、６時側、８時側、および１０時側にそれぞれ設けられた押釦装置８にも適用することができる。
【００６７】
さらに、上述した実施形態では、腕時計ケース１が本体ケース２と外装ケース３とを備えた構造である場合について述べたが、この発明は、これに限らず、腕時計ケースが本体ケースのみで形成された構造であっても良い。
【００６８】
また、上述した実施形態では、操作部材１１の頭部形状及び収納部１４を円形として例示したが、それに限られず、矩形や楕円といった形状でも良い。
【００６９】
なおまた、上述した実施形態では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計である必要はなく、携帯電話機や携帯端末機などの電子機器にも適用することができる。
【００７０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７１】
（付記）
請求項１に記載の発明は、貫通孔が設けられ、かつ前記貫通孔の外部に収納部が設けられた支持部材と、前記貫通孔に摺動可能に挿入される軸部、および前記軸部の外端部に設けられて前記収納部に摺動可能に挿入される頭部を備えた操作部材と、前記収納部内に設けられて前記頭部の外周凸部が挿入する環状の第１溝部と前記頭部の前記外周凸部とによって囲われる位置に配置される第１のフィルタと、前記頭部に設けられて前記第１溝部の内周に位置する前記収納部の内周凸部が挿入する環状の第２溝部と前記収納部の前記内周凸部とによって囲われる位置に配置される第２のフィルタと、を備えていることを特徴とする押釦装置である。
【００７２】
請求項２に記載の発明は、請求項１に記載の押釦装置において、前記第１のフィルタ及び前記第２のフィルタは、前記頭部の移動に応じて変形した後、変形前の形状に復元し、かつ多数の連続する気泡を備えた多孔質素材であることを特徴とする押釦装置である。
【００７３】
請求項３に記載の発明は、請求項１または請求項２に記載の押釦装置において、前記第１のフィルタは、前記収納部内に設けられて前記頭部の前記外周凸部が挿入する環状の第１溝部と前記頭部の前記外周凸部とによって囲われる第１空間に配置され、前記第２のフィルタは、前記頭部に設けられて前記第１溝部の内周に位置する前記収納部の前記内周凸部が挿入する環状の第２溝部と前記収納部の前記内周凸部とによって囲われる第２空間に配置されていることを特徴とする押釦装置である。
【００７４】
請求項４に記載の発明は、請求項１〜請求項３のいずれかに記載の押釦装置において、前記第１のフィルタと前記第２のフィルタとは、それぞれ通気性が異なることを特徴とする押釦装置。
である。
【００７５】
請求項５に記載の発明は、請求項１〜請求項４のいずれかに記載の押釦装置において、前記第１のフィルタと前記第２のフィルタとは、気泡の大きさが異なることを特徴とする押釦装置である。
【００７６】
請求項６に記載の発明は、請求項１〜請求項５のいずれかに記載された押釦装置において前記支持部材はケースであることを特徴とする押釦装置である。
【００７７】
請求項７に記載の発明は、請求項１〜請求項６のいずれかに記載された押釦装置を備えていることを特徴とする時計である。
【符号の説明】
【００７８】
１  腕時計ケース
２  本体ケース
３  外装ケース
６  時計モジュール
８  押釦装置
１０  貫通孔
１１  操作部材
１２  ばね部材
１３  筒状部
１４  収納部
１４ａ  内周凸部
１５  軸部
１６  頭部
１６ａ  外周凸部
２０  スイッチ素子
２３  第１空間部
２４  第２空間部
２５  第１のフィルタ
２６  第２のフィルタ
２７  第１溝部
２８  第２溝部
【図１】
2020056760.tif 000003
【図２】
2020056760.tif 000004
【図３】
2020056760.tif 000005
【図４】
2020056760.tif 000006
【図５】
2020056760.tif 000007